(57)【特許請求の範囲】
【請求項１】
室外熱交換器、室内熱交換器、膨張弁、および圧縮機を含む冷媒回路と、
交流電源および直流電源のいずれか一方からの電力供給によって前記圧縮機を駆動するように、前記交流電源および前記直流電源のうち一方から他方へ電力供給経路を切替える切替回路を含む電源回路と、
前記電源回路、前記圧縮機、および前記膨張弁を制御する制御部とを備え、
前記制御部は、前記圧縮機を動作させたままで前記切替回路を切替える場合に、前記切替回路を切替える前に前記圧縮機の周波数を減少させ、前記切替回路を切替えた後に前記圧縮機の周波数を元に戻すように前記圧縮機を制御する、空気調和機。
【請求項２】
前記電源回路は、前記交流電源からの交流電圧を整流することによって整流電圧を生成する整流回路を含み、
前記切替回路は、前記整流電圧および前記直流電源からの直流電圧のうち一方のみを出力するように電圧経路を切替え、
前記電源回路は、さらに、
前記切替回路から出力された前記整流電圧または前記直流電圧のうちの一方を昇圧することによって昇圧電圧を生成する昇圧コンバータと、
前記昇圧電圧に基づいて前記圧縮機をインバータ駆動する第１のインバータ回路とを含む、請求項１に記載の空気調和機。
【請求項３】
前記切替回路は、前記交流電源からの交流電圧および前記直流電源からの直流電圧のうちの一方のみを出力するように電圧経路を切替え、
前記電源回路は、
前記切替回路から出力された交流電圧を整流することによって整流電圧を生成するか、前記切替回路から出力された直流電圧をそのまま出力する整流回路と、
前記整流回路から出力された前記整流電圧または前記直流電圧のうちの一方を昇圧することによって昇圧電圧を生成する昇圧コンバータと、
前記昇圧電圧に基づいて前記圧縮機をインバータ駆動する第１のインバータ回路とを含む、請求項１に記載の空気調和機。
【請求項４】
前記制御部は、前記圧縮機を動作させたままで前記切替回路を切替える場合に、前記切替回路を切替える前に前記昇圧電圧の値を増加させ、前記切替回路を切替えた後に前記昇圧電圧の値を元に戻すように前記電源回路を制御する、請求項２または３に記載の空気調和機。
【請求項５】
前記室外熱交換器に外気を送風する室外ファンをさらに備え、
前記電源回路は、前記切替回路によって電力供給経路を切替えることによって、前記交流電源および前記直流電源のいずれか一方からの電力供給によって前記室外ファンを駆動し、
前記制御部は、前記圧縮機を動作させたままで前記切替回路を切替える場合に、前記切替回路を切替える前に前記室外ファンの回転速度を低下させるか、または前記室外ファンを停止させ、前記切替回路を切替えた後に前記室外ファンの回転速度を元に戻すように前記電源回路を制御する、請求項１〜４のいずれか１項に記載の空気調和機。
【請求項６】
前記空気調和機は、
前記室内熱交換器によって熱交換された室内空気を室内に送風する室内ファンと、
前記交流電源からの交流電圧を整流した直流電圧により前記室内ファンを駆動する室内電源回路と、
室内機に設けられ、前記室内ファンおよび前記室内電源回路を制御する室内制御部とをさらに備え、
前記冷媒回路は、冷房運転と暖房運転とで冷媒の巡回方向を切替えるための四方弁をさらに含み、
前記制御部は、室外機に設けられた室外制御部として動作し、
前記室外制御部は、前記暖房運転中に前記圧縮機を動作させたままで前記切替回路を切替える場合に、前記室内制御部に指令信号を送り、前記指令信号に基づく前記室内制御部による制御によって、前記切替回路を切替える前に前記室内ファンの回転数を増加させ、前記切替回路を切替えた後に前記室内ファンの回転数を元に戻す、請求項１〜５のいずれか１項に記載の空気調和機。
【請求項７】
前記制御部は、前記圧縮機を動作させたままで前記切替回路を切替える場合に、前記切替回路を切替える前に前記膨張弁の開度を増加させた状態で前記膨張弁の動作を停止させ、前記切替回路を切替えた後に前記膨張弁を動作させて前記膨張弁の開度を元に戻すように前記膨張弁を制御する、請求項１〜６のいずれか１項に記載の空気調和機。
【請求項８】
前記制御部は、通常動作モードと低消費電力モードとを有し、
前記制御部は、前記圧縮機を動作させたままで前記切替回路を切替える場合に、前記切替回路を切替える前に前記低消費電力モードに切替わり、前記切替回路を切替えた後に前記通常動作モードに戻る、請求項１〜７のいずれか１項に記載の空気調和機。
【発明の詳細な説明】
【技術分野】
【０００１】
この開示は、ヒートポンプ方式の空気調和機に関し、特に、蓄電池などの直流電源と商用交流電源との両方を駆動電源として利用可能な空気調和機に好適に用いられる。
【背景技術】
【０００２】
従来から直流電源と商用交流電源とを併用して空気調和機（「空調機」とも称する）の圧縮機を駆動する技術が提案されている。
【０００３】
たとえば、特開２００１−６５９２７号公報（特許文献１）は、商用交流電源と蓄電池とを動力源として用いた空気調和機を開示する。この文献の空気調和機は、商用交流電源からの交流電圧が整流平滑回路によって直流電圧に変換されるとともに、蓄電地からの直流電圧が双方向コンバータによって昇圧される。そして、整流平滑回路から出力された直流電圧と双方向コンバータから出力された直流電圧とが重畳され、重畳された直流電圧が圧縮機を駆動するためのインバータに供給される。
【先行技術文献】
【特許文献】
【０００４】
【特許文献１】特開２００１−６５９２７号公報
【発明の概要】
【発明が解決しようとする課題】
【０００５】
本願の発明者らは、直流電源と交流電源との間の漏洩電流を防止するために、蓄電池などの直流電源からの電力供給と商用交流電源からの電力供給とを完全に切り替えて一方の電源からの電力のみを圧縮機に供給する空気調和機の開発を進めている。このような方式の空気調和機は、本願の出願時において公知となっていない。
【０００６】
この電源切り替え方式の空気調和機では、蓄電池などの直流電源の出力に制限があるために、圧縮機の立ち上げ時には交流電源を用い、その後、交流電源から直流電源に電源が切り替えられる。そして、電源切り替え時には圧縮機など消費電力が比較的大きい機器は停止される。しかしながら、圧縮機を一旦停止してしまうと、圧縮機を再起動する際には、圧縮機の入口と出口の差圧が完全になくなるまで２〜３分程度時間を置かなければならない。このため、圧縮機の一時停止期間中に室温が変動するおそれがあり、好ましくない。したがって、圧縮機を停止することなく圧縮機の電源を交流から直流またはその逆に切り替られることが望ましい。
【０００７】
この発明は上記の状況を考慮してなされたものであり、その目的は、直流電源からの電力供給と交流電源からの電力供給とを切り替えて圧縮機に供給する方式の空気調和機において、圧縮機の駆動電源の切替えを、圧縮機を停止することなく行うことが可能な空気調和機を提供することである。本発明のその他の新規な特徴および効果は、添付した図面および詳細な説明によって明らかになるであろう。
【課題を解決するための手段】
【０００８】
この発明は一局面において空気調和機であって、冷媒回路と、電源回路と、制御部とを備える。冷媒回路は、室外熱交換器、室内熱交換器、膨張弁、および圧縮機を含む。電源回路は、交流電源および直流電源の一方からの電力供給によって圧縮機を駆動するように電力供給経路を切替える切替回路を含む。制御部は、電源回路、圧縮機、および膨張弁を制御する。制御部は、圧縮機を動作させたままで切替回路を切替える場合に、一時的に圧縮機の周波数を減少させるように圧縮機を制御する。
【０００９】
一実施形態において、電源回路は、整流回路と、昇圧コンバータと、第１のインバータ回路とを含む。整流回路は、交流電源からの交流電圧を整流することによって整流電圧を生成する。切替回路は、整流電圧および直流電源からの直流電圧のうち一方のみを出力するように電圧経路を切替える。昇圧コンバータは、切替回路から出力された整流電圧または直流電圧のうちの一方を昇圧することによって昇圧電圧を生成する。第１のインバータ回路は、昇圧電圧に基づいて圧縮機をインバータ駆動する。
【００１０】
他の実施形態において、電源回路は、整流回路と、昇圧コンバータと、第１のインバータ回路とを含む。切替回路は、交流電源からの交流電圧および直流電源からの直流電圧のうちの一方のみを出力するように電圧経路を切替える。整流回路は、切替回路から出力された交流電圧を整流することによって整流電圧を生成するか、切替回路から出力された直流電圧をそのまま出力する。昇圧コンバータと、整流回路から出力された整流電圧または直流電圧のうちの一方を昇圧することによって昇圧電圧を生成する。第１のインバータ回路は、昇圧電圧に基づいて圧縮機をインバータ駆動する。
【００１１】
上記の一実施形態または他の実施形態において、好ましくは、制御部は、圧縮機を動作させたままで切替回路を切替える場合に、一時的に昇圧電圧を増加させるように電源回路を制御する。
【００１２】
好ましくは、空気調和機は、室外熱交換器に外気を送風する室外ファンをさらに備える。電源回路は、切替回路によって電力供給経路を切替えることによって、交流電源および直流電源の一方からの電力供給によって室外ファンを駆動する。制御部は、圧縮機を動作させたままで切替回路を切替える場合に、一時的に室外ファンの回転速度を低下させるか、または室外ファンを停止させるように電源回路を制御する。
【００１３】
好ましくは、空気調和機は、室内熱交換器によって熱交換された室内空気を室内に送風する室内ファンと、交流電源からの交流電圧を整流した直流電圧により室内ファンを駆動する室内電源回路と、室内機に設けられ、室内ファンおよび室内電源回路を制御する室内制御部とをさらに備える。冷媒回路は、冷房運転と暖房運転とで冷媒の巡回方向を切替えるための四方弁をさらに含む。上述の制御部は、室外機に設けられて室外制御部として動作する。室外制御部は、暖房運転中に圧縮機を動作させたままで切替回路を切替える場合に、室内制御部に第１の指令信号を送り、この第１の指令信号に基づく室内制御部による制御によって一時的に室内ファンの回転数を増加させる。一方、室外制御部は、冷房運転中に圧縮機を動作させたままで切替回路を切替える場合に、室内制御部に第２の指令信号を送り、この第２の指令信号に基づく室内制御部による制御によって一時的に室内ファンの回転数を減少させるか、または、一時的に室内ファンを停止する。
【００１４】
好ましくは、制御部は、圧縮機を動作させたままで切替回路を切替える場合に、一時的に膨張弁の開度を増加させた状態で動作停止するように膨張弁を制御する。
【００１５】
好ましくは、制御部は、通常動作モードと低消費電力モードとを有する。制御部は、圧縮機を動作させたままで切替回路を切替える場合に、一時的に低消費電力モードで動作する。
【発明の効果】
【００１６】
圧縮機を停止することなく、圧縮機の電源を交流電源から直流電源またはその逆方向への切り替えることができる。
【図面の簡単な説明】
【００１７】
【図１】第１の実施形態による空気調和機と直流電源および商用交流電源との接続について説明するための図である。
【図２】図１の空気調和機５０の冷媒回路１０の構成を模式的に示す図である。
【図３】図１の空気調和機の電気システム構成を示す図である。
【図４】図３の空気調和機の運転モードの切替手順を示すフローチャートである。
【図５】ＡＣ電源からＤＣ電源への切替えを行う際の昇圧コンバータの出力側のコンデンサの電圧変化を模式的に示す図である。
【図６】第１の実施形態において、圧縮機への電力供給をＡＣ電源からＤＣ電源へ切替える手順を示すフローチャートである。
【図７】第１の実施形態において、圧縮機への電力供給をＤＣ電源からＡＣ電源へ切替える手順を示すフローチャートである。
【図８】第２の実施形態において、圧縮機への電力供給をＡＣ電源からＤＣ電源へ切替える手順を示すフローチャートである。
【図９】第２の実施形態において、圧縮機への電力供給をＤＣ電源からＡＣ電源へ切替える手順を示すフローチャートである。
【図１０】第３の実施形態において、圧縮機への電力供給をＡＣ電源からＤＣ電源へ切替える手順を示すフローチャートである。
【図１１】第３の実施形態において、圧縮機への電力供給をＤＣ電源からＡＣ電源へ切替える手順を示すフローチャートである。
【図１２】第４の実施形態において、圧縮機への電力供給をＡＣ電源からＤＣ電源へ切替える手順を示すフローチャートである。
【図１３】第４の実施形態において、圧縮機への電力供給をＤＣ電源からＡＣ電源へ切替える手順を示すフローチャートである。
【図１４】第５の実施形態において、圧縮機への電力供給をＡＣ電源からＤＣ電源へ切替える手順を示すフローチャートである。
【図１５】第５の実施形態において、圧縮機への電力供給をＤＣ電源からＡＣ電源へ切替える手順を示すフローチャートである。
【図１６】第６の実施形態において、圧縮機への電力供給をＡＣ電源からＤＣ電源へ切替える手順を示すフローチャートである。
【図１７】第６の実施形態において、圧縮機への電力供給をＤＣ電源からＡＣ電源へ切替える手順を示すフローチャートである。
【発明を実施するための形態】
【００１８】
以下、各実施形態について図面を参照して詳しく説明する。なお、同一または相当する部分には同一の参照符号を付して、その説明を繰返さない場合がある。
【００１９】
＜第１の実施形態＞
［直流電源および交流電源と空気調和機との接続方式］
図１は、第１の実施形態による空気調和機と直流電源および商用交流電源との接続について説明するための図である。図１では、直流電源として蓄電池４１が用いられた例を示している。
【００２０】
図１を参照して、空気調和機５０は、室内機６０と室外機７０とを備える。第１の実施形態では、定格２００Ｖの商用交流電圧が室内機６０に入力され、定格１００Ｖの直流電圧が蓄電池４１から室外機７０に入力される。
【００２１】
具体的には図１に示すように、ＤＣ（直流）１００Ｖ出力の蓄電池４１の端子４２（正側端子４２Ｐ，負側端子４２Ｎ）と、室外機７０の端子７２（正側端子７２Ｐ，負側端子７２Ｎ）とが、電源線５４を介して接続される。室内機６０のコンセントプラグ５１は単相３線式の２００Ｖの商用交流電源に接続される。この場合、コンセントプラグ５１の端子５１Ｒ，５１Ｓ間にはＡＣ（交流）２００Ｖが印加され、コンセントプラグ５１の端子５１Ｏには接地線が接続される。
【００２２】
さらに、室内機６０の３ｐ端子６１は、室外機７０の３ｐ端子７１に接続される。具体的に、室内機６０の端子６１Ｒ，６１Ｓと、室外機７０の端子７１Ｒ，７１Ｓとは、ＡＣ２００Ｖの電源線５２によって接続され、室内機６０の端子６１Ｃと、室外機７０の端子７１Ｃとは、通信線５３によって接続される。
【００２３】
なお、図１に示す本実施形態の場合と異なり、直流電源と交流電源とが両方とも室内機６０に接続される構成であってもよい。この場合、交流電源からの交流を整流することによって得られる直流と、直流電源からの直流とのいずれか一方が室外機７０に供給される。
【００２４】
［空気調和機の冷媒回路の構成］
図２は、図１の空気調和機５０の冷媒回路１０の構成を模式的に示す図である。図２を参照して、冷媒回路１０は、室外機７０に設けられた、圧縮機８４、室外熱交換器３５、膨張弁８８、および四方弁９０と、室内機６０に設けられた室内熱交換器３６とを備える。さらに、室外機７０には室外ファン８６が備えられ、室内機６０には室内ファン６５が備えられる。
【００２５】
冷媒回路１０において、圧縮機８４は、冷媒を圧縮する。室外熱交換器３５は、室外の空気および冷媒の間で熱交換する。膨張弁８８は、冷媒の流量を調整するためにその開度が制御される。室内熱交換器３６は、室内の空気および冷媒の間で熱交換する。室外ファン８６は、室外の空気を室外熱交換器３５に送風することによって室外熱交換器での熱交換を促進する。室内ファン６５は、室内熱交換器３６で熱交換された空気を室内に送風する。本実施形態の場合、室外ファン８６はプロペラファンによって構成され、室内ファン６５はクロスフローファンによって構成される。
【００２６】
四方弁９０は、冷房運転および暖房運転において冷媒の巡回方向を切替える。冷房運転時には、図２の実線の矢印で示されるように、圧縮機８４、四方弁９０、室外熱交換器３５、膨張弁８８、室内熱交換器３６、四方弁９０、圧縮機８４の順に冷媒が巡回する。この場合、室外熱交換器３５が、圧縮された高温の冷媒を凝縮して液化させるための凝縮器として機能し、室内熱交換器３６が、液化された冷媒を蒸発させることで冷媒を低温の気体に変化させるための蒸発器として機能する。
【００２７】
一方、暖房運転時には、図２の破線の矢印で示されるように、圧縮機８４、四方弁９０、室内熱交換器３６、膨張弁８８、室外熱交換器３５、四方弁９０、圧縮機８４の順に冷媒が巡回する。この場合、室外熱交換器３５が蒸発器として機能し、室内熱交換器３６が凝縮器として機能する。
【００２８】
空気調和機５０は、さらに、室外熱交換器３５の温度を測定するための温度センサ３１と、圧縮機８４の出口での冷媒温度である吐出温度を測定するための温度センサ３０と、室内熱交換器３６の温度を測定するための温度センサ３３とを含む。これらの温度センサ３１，３０，３３は、たとえばサーミスタである。室外熱交換器３５用の温度センサ３１および室内熱交換器３６用の温度センサ３３はいずれも、熱交換器の入口と出口の中間に配置される。したがって、通常の場合には、これらの熱交換器が凝縮器として機能するときに検出される温度は冷媒の凝縮温度であり、蒸発器として機能するときに検出される温度は冷媒の蒸発温度である。
【００２９】
さらに、室外機７０には、外気温を測定するための温度センサ３２が取り付けられ、室内機６０には室内温度を測定するための温度センサ３４が取り付けられている。これらの温度センサ３２，３４もたとえばサーミスタによって構成することができる。
【００３０】
なお、本実施形態では、暖房運転および冷房運転を切替え可能として説明するが、空気調和機は、暖房運転および冷房運転の一方のみ可能であってもよい。その場合、冷媒回路１０には四方弁９０が設けられず、室外熱交換器３５および室内熱交換器３６の各々の機能は、凝縮器または蒸発器として固定される。また、図２の場合と異なり、室外機７０と室内機６０とに分離されず一体型の空気調和機についても以下に示す技術を適用可能である。
【００３１】
［空気調和機の電気システム構成］
（室内機の構成）
図３は、図１の空気調和機の電気システム構成を示す図である。図３を参照して、室内機６０は、室内機用電源回路６２（室内電源回路６２とも称する）と、内部回路６３と、リレー６４（開閉スイッチ）と、室内ファン６５とを含む。
【００３２】
室内機用電源回路６２は、コンセントプラグ５１と接続され、商用交流電源から受けた交流電圧（ＡＣ２００Ｖ）を整流することによって内部回路６３に供給するための直流電圧を生成する。室内機用電源回路６２は、さらに、室内ファン６５用のファンモータを駆動するための駆動回路（不図示）を含む。なお、室内機用電源回路６２と後述する室外機用電源回路２１と併せて空気調和機５０用の電源回路２０が構成される。
【００３３】
内部回路６３は、たとえば、室内ファン６５および室内機用電源回路６２などを制御する室内制御部（マイクロコンピュータ）６８と、リモコンとの通信用の通信回路（不図示）と、室外機７０との通信用の通信回路６７となどを含む。通信回路６７は通信線５３を介して室外機７０の通信回路９４と接続される。
【００３４】
コンセントプラグ５１から入力された交流電圧（ＡＣ２００Ｖ）は、端子６１Ｒ，６１Ｓ、電源線５２、および端子７１Ｒ，７１Ｓを介して室外機７０に入力される。室外機７０の四方弁９０は、この交流電圧によって直接駆動される。コンセントプラグ５１と端子６１Ｒ，６１Ｓとを結ぶ線路上にリレー６４（開閉スイッチ）が設けられる。
【００３５】
（室外機の構成）
室外機７０は、室外機用電源回路２１（室外電源回路２１とも称する）と、この電源回路２１によって駆動される圧縮機８４、室外ファン８６、膨張弁８８、マイクロコンピュータ８９、および通信回路９４とを含む。さらに、室外機７０は、室内機６０を介して供給される交流電圧によって駆動される四方弁９０を含む。
【００３６】
室外機用電源回路２１は、リレー７３，９２，９３（開閉スイッチ）と、ＰＴＣサーミスタ（正特性サーミスタ：Positive Temperature Coefficient Thermistor）７４と、交流電流計Ａ２としての電流変成器（ＣＴ：Current Transformer）と、全波整流回路７５と、切替回路７６と、フィルタ回路７９と、ダイオード８０と、直流電圧計Ｖ１および直流電流計Ａ１としての検出抵抗とを含む。
【００３７】
端子７１Ｒ，７１Ｓを介して入力された交流電圧（ＡＣ２００Ｖ）は、リレー７３（開閉スイッチ）を介して、ダイオードブリッジによって構成された全波整流回路７５に入力される。全波整流回路７５から出力された整流電圧は切替回路７６に入力される。
【００３８】
リレー７３をオンしたときの励磁突入電流を低減するために、リレー７３と並列にＰＴＣサーミスタ（正特性サーミスタ：Positive Temperature Coefficient Thermistor）７４が接続されている。ＰＴＣサーミスタは室温付近ではほぼ一定の抵抗値であるが、ある一定の温度を超えると、抵抗値が急上昇する電子部品である。
【００３９】
交流電流計Ａ２は、リレー７３と整流回路７５との間に接続され、室内機６０に入力される交流電流（交流運転時の室外機７０の消費電流）を測定する。
【００４０】
一方、端子７２Ｐ，７２Ｎを介して入力された直流電圧（ＤＣ１００Ｖ）は、リレー９２，９３（開閉スイッチ）を介してフィルタ回路７９に入力される。フィルタ回路７９は、高周波成分を遮断するローパスフィルである。フィルタ回路７９から出力された直流電圧はダイオード８０を介して切替回路７６に入力される。
【００４１】
ダイオード８０は、端子７２Ｐ，７２Ｎに接続される蓄電池などの直流電源の極性が逆であったときに、室外機用電源回路２１を保護するために設けられている。すなわち、ダイオード８０は、負側端子７２Ｎから内部に入力され、正側端子７２Ｐから外部に出力される方向の電流を阻止する。
【００４２】
直流電圧計Ｖ１は、直流入力用の端子７２Ｐ，７２Ｎ間の電圧を測定する。直流電流計Ａ１は、直流電源から室外機７０に入力される直流電流（直流運転時の室外機７０の消費電流）を測定する。
【００４３】
切替回路７６は、リレー７７，７８（切替スイッチ）を含む。リレー７７，７８を切替えることによって、全波整流回路７５から出力された整流電圧と、直流電圧（ＤＣ１００Ｖ）とのうち、いずれか一方を出力する。
【００４４】
室外機用電源回路２１は、さらに、力率改善方式の昇圧コンバータ８１と、コンデンサ８２と、電圧計Ｖ３としての検出抵抗と、インバータ８３，８５と、降圧コンバータ８７とを含む。
【００４５】
力率改善方式の昇圧コンバータ８１は、切替回路７６から出力された整流電圧または直流電圧（ＤＣ１００Ｖ）を設定電圧（たとえばＤＣ３４０Ｖ）まで昇圧する。さらに昇圧コンバータ８１は、入力電圧が整流電圧の場合に、電流連続モードまたは電流臨界モードの力率改善回路として動作することによって、入力電圧と入力電流の位相を一致させる。昇圧コンバータ８１の出力ノード間には比較的大容量のコンデンサ８２と電圧計Ｖ３とが接続される。昇圧コンバータ８１の出力リップルを低減するために、インターリーブ方式の力率改善回路を用いるのが望ましい。
【００４６】
昇圧コンバータ８１から出力された昇圧電圧（ＤＣ３４０Ｖ）は、インバータ８３，８５および降圧コンバータ８７に供給される。インバータ８３は、昇圧電圧を３相交流電圧に変換して圧縮機８４の同期モータに供給する。インバータ８５は、昇圧電圧を３相交流電圧に変換して室外ファン８６用の同期モータに供給する。降圧コンバータ８７は、昇圧電圧（ＤＣ３４０Ｖ）をＤＣ１２Ｖに降圧して膨張弁８８のステッピングモータに供給するとともに、ＤＣ５Ｖに降圧してマイクロコンピュータ８９および通信回路９４に供給する。
【００４７】
マイクロコンピュータ８９には、インバータ８３に設けられたシャント抵抗によって検出された３相交流電流の検出値Ｉｕ１，Ｉｖ１，Ｉｗ１、インバータ８５に設けられたシャント抵抗によって検出された３相交流電流の検出値Ｉｕ２，Ｉｖ２，Ｉｗ２、ならびに電流計Ａ１，Ａ２および電圧計Ｖ１，Ｖ３の検出値の情報が入力される。さらに、マイクロコンピュータ８９には、室内温度、室外温度、室内および室外熱交換器の温度（凝縮温度、蒸発温度）、ならびに圧縮機の回転速度（周波数）および吐出温度などの情報が入力される。マイクロコンピュータ８９は、これらの情報に基づいて空気調和機５０の全体の動作を制御する制御部（もしくは室外制御部）として動作する。具体的には、マイクロコンピュータ８９は、切替回路７６、昇圧コンバータ８１、インバータ８３，８５降圧コンバータ８７、膨張弁８８、および四方弁９０などの動作を制御する。
【００４８】
四方弁９０は、図３の場合、交流電圧（ＡＣ２００Ｖ）で動作しているが、降圧コンバータ８７から出力された直流電圧によって動作するものを用いてもよい。
【００４９】
（電気システム構成の特徴および効果について）
上記の電気システム構成の特徴は、昇圧コンバータ８１の前段に切替回路７６を設けることによって、昇圧コンバータ８１に直流電圧および整流電圧の一方が選択的に入力されるようにしたことにある。これによって、従来は別々に設けられていた直流電源用のＤＣ／ＤＣコンバータと、力率改善回路用の昇圧コンバータとを１つにまとめることができる。
【００５０】
なお、図３では、整流回路７５を切替回路７６の前段に設けているが、整流回路７５を切替回路７６の後段かつ昇圧コンバータ８１の前段に設けることも可能である。整流回路７５に直流電圧が入力された場合は、ダイオードによる若干の損失があるものの、直流電圧はほぼそのまま出力される。
【００５１】
さらに、上記の電気システム構成によれば、切替回路７６によってＡＣ側とＤＣ側とが絶縁されているので、交流波漏洩電流の問題は生じない。また、直流電源に基づくＤＣ（直流）運転と、交流電源に基づくＡＣ（交流）運転とが独立して実行されるので、現在の運転状態がＤＣ運転とＡＣ運転とのどちらであるかをユーザに表示することによってユーザに省エネルギーを促すことができるというメリットがある。
【００５２】
［空気調和機の動作］
以下、図３のシステム構成の空気調和機の動作について説明する。以下では、切替回路７６が直流電源側に切替えられた場合を直流運転モードと称し、切替回路７６が交流電源側に切替えられた場合を交流運転モードと称する。そして、直流電源に基づく直流運転モードと交流電源に基づく交流運転モードとの切替手順について詳しく説明する。なお、以下の各ステップは制御部としてのマイクロコンピュータ８９によって制御プログラムが実行されることによって実現される。
【００５３】
図４は、図３の空気調和機の運転モードの切替手順を示すフローチャートである。図３および図４を参照して、マイクロコンピュータ８９は、ユーザからの運転開始指令を受信すると（ステップＳ１００でＹＥＳ）、切替回路７６を交流電源側に切替えた後に（ステップＳ１０５）、交流運転モードで空気調和機５０の運転を開始する（ステップＳ１１５）。なお、運転開始時には、直流電源と接続するためのリレー９２，９３はオフ状態（開状態）のままである。
【００５４】
上記のように、空気調和機の運転開始時に交流運転モードにする理由は、空気調和機５０の起動時には、室温と設定温度との差が大きいために圧縮機８４が高回転で回転する場合が多く、このため空気調和機５０の消費電力が大きくなるからである。
【００５５】
マイクロコンピュータ８９は、起動後しばらくして空気調和機５０の運転状態が安定すると、運転モードを交流運転モードから直流運転モードに切替える。具体的には、マイクロコンピュータ８９は、予め定められたＡＣ／ＤＣ（交流／直流）切替条件が満たされた場合に（ステップＳ１２０でＹＥＳ）、圧縮機を停止することなく直流運転モードに切替える（ステップＳ１３５）。ステップＳ１２０のＡＣ／ＤＣ切替条件は、たとえば、室温が設定温度に達したこと、圧縮機の回転速度が基準値以下に低下したことなどである。ステップＳ１３５の電源切替工程については図５および図６で詳しく説明する。
【００５６】
上記のＡＣ／ＤＣ切替条件が満たされていない場合（ステップＳ１２０でＮＯ）、マイクロコンピュータ８９は、ユーザから運転停止指令を受信することによって（ステップＳ１２５でＹＥＳ）空気調和機５０の運転を停止（ステップＳ１３０）しない限り、ＡＣ運転モードを継続することになる。
【００５７】
直流運転モードに切替えられた後は、マイクロコンピュータ８９は、ＤＣ／ＡＣ（直流／交流）切替条件が満たされていたり（ステップＳ１４０でＹＥＳ）、ユーザから運転停止指令を受信することによって（ステップＳ１５０でＹＥＳ）空気調和機５０の運転を停止したりしない限り、直流運転モードを継続する。
【００５８】
マイクロコンピュータ８９は、ＤＣ／ＡＣ切替条件が満たされると（ステップＳ１４０でＹＥＳ）、圧縮機を停止することなくＤＣ運転モードからＡＣ運転モードに切替える（ステップＳ１４５）。ＤＣ／ＡＣ切替条件は、たとえば、図３の電流計Ａ１で測定される直流運転時の室外機７０の消費電流が規定以上になったこと、または電流計Ａ１および電圧計Ｖ１で測定される直流運転モードでの室外機７０の消費電力が規定値以上になったこと、または蓄電池の残量が規定量以下まで減少したことなどである。ステップＳ１４５の電源切替工程については図７で詳しく説明する。
【００５９】
［電源切替工程の問題点］
以下では、圧縮機を停止せずに、ＡＣ電源からＤＣ電源への切替えまたはその逆の切替えを行う場合の問題点について説明する。
【００６０】
図５は、ＡＣ電源からＤＣ電源への切替えを行う際の昇圧コンバータの出力側のコンデンサの電圧変化を模式的に示す図である。図５では、図２の昇圧コンバータ８１の出力端子に接続されたコンデンサ８２の電圧変化が示されている。
【００６１】
図２および図５を参照して、時刻ｔ１までは図２の切替回路７６はＡＣ電源側に接続されており、ＡＣ運転モードで圧縮機８４および室外ファン８６等の室外機７０が運転されている。
【００６２】
時刻ｔ１において、ＡＣ運転モードからＤＣ運転モードに運転モードを切替えるために、切替回路７６がＡＣ電源側からＤＣ電源側に切替えられる。さらに、時刻ｔ２において、ＤＣ電源と接続するために設けられたリレー９２，９３がオン状態（閉状態）に切替えられる。これによって、ＤＣ電源からの電力供給によって圧縮機８４および室外ファン８６等の室外機７０の運転が開始される。
【００６３】
時刻ｔ１から時刻ｔ２までの電源切替時間では、圧縮機８４等の室外機７０はコンデンサ８２の充電電圧によって動作する。したがって、圧縮機８４等の室外機７０が動作停止状態に陥らないように、室外機７０の消費電力をできるだけ小さくするとともに、電源切替時間（時刻ｔ１から時刻ｔ２まで）をできるだけ短くする必要がある。電源切替時間は０．５秒以下が望ましい。
【００６４】
なお、消費電力の大きな圧縮機８４を一旦停止してから電源切替えを行うことも考えられる。しかしながら、圧縮機８４を再起動する際には、圧縮機の入口と出口の差圧が完全になくなるまで２〜３分程度時間を置かなければならないので、空調機の運転開始時の室内温度と設定温度との間にかなりの差がある場合などには、電源切替工程の間に室内温度が変化してしまう可能性があり、好ましくない。
【００６５】
第１の実施形態では、電源切替工程でのコンデンサ８２の電圧低下を抑えるために、圧縮機の周波数（回転速度）を減少させてから電源切替えを行う。以下、図６および図７のフローチャートを参照して、図４の電源切替工程（ステップＳ１３５，Ｓ１４５）について説明する。
【００６６】
［電源切替工程（ＡＣ電源からＤＣ電源への切替え手順）］
図６は、第１の実施形態において、圧縮機への電力供給をＡＣ電源からＤＣ電源へ切替える手順を示すフローチャートである。
【００６７】
図２、図４、図６を参照して、ＡＣ運転中にＡＣ／ＤＣ切替条件が満たされた場合（ステップＳ１２０でＹＥＳ）、マイクロコンピュータ８９は、圧縮機８４の周波数を低下させる（ステップＳ２００Ａ）。たとえば、マイクロコンピュータ８９は、圧縮機８４の周波数を設定可能な最低周波数（０より大きい値）に設定する。
【００６８】
次に、マイクロコンピュータ８９は、切替回路７６の接続をＡＣ電源側からＤＣ電源側に切替え（ステップＳ２２０Ａ）、続いてＤＣ電源と接続するためにリレー９２，９３をオン状態（閉状態）にする（ステップＳ２３０）。これによって、室外機７０のＤＣ運転が開始される。
【００６９】
その後、マイクロコンピュータ８９は、圧縮機８４の周波数を電源切替工程の直前の周波数に戻す（ステップＳ２４０Ａ）。以上によって、図４のステップＳ１３５の電源切替工程（ＡＣ電源からＤＣ電源への切替え）が完了する。
【００７０】
［電源切替工程（ＤＣ電源からＡＣ電源への切替え手順）］
図７は、第１の実施形態において、圧縮機への電力供給をＤＣ電源からＡＣ電源へ切替える手順を示すフローチャートである。
【００７１】
図２、図４、図７を参照して、ＤＣ運転中にＤＣ／ＡＣ切替条件が満たされた場合（ステップＳ１４０でＹＥＳ）、マイクロコンピュータ８９は、圧縮機８４の周波数を低下させる（ステップＳ２００Ａ）。たとえば、マイクロコンピュータ８９は、圧縮機８４の周波数を設定可能な最低周波数（０より大きい値）に設定する。
【００７２】
次に、マイクロコンピュータ８９は、ＤＣ電源との接続用のリレー９２，９３をオフ状態（開状態）にし（ステップＳ２１０）、続いて切替回路７６の接続をＤＣ電源側からＡＣ電源側に切替える（ステップＳ２２０Ｂ）。これによって、室外機７０のＡＣ運転が開始される。
【００７３】
その後、マイクロコンピュータ８９は、圧縮機８４の周波数を電源切替工程の直前の周波数に戻す（ステップＳ２４０Ａ）。以上によって、図４のステップＳ１４５の電源切替工程（ＤＣ電源からＡＣ電源への切替え）が完了する。
【００７４】
［効果］
以上のとおり、第１の実施形態の空気調和機によれば、圧縮機の電源を交流電源から直流電源またはその逆方向への切り替えを行う際に圧縮機の周波数が低下される（たとえば、設定可能な最低周波数（０より大きい値）に設定される）。これによって、コンデンサ８２の電圧低下を抑えることができるので、圧縮機８４を停止することなく電源切替えを行うことができる。なお、上記において、切替回路７６の切替え時に、ＤＣ電源との接続用のリレーをオフ状態（開状態）とする理由は、ＡＣ電源とＤＣ電源とが誤って短絡しないようにするためである。
【００７５】
＜第２の実施形態＞
第２の実施形態では、電源切替工程でのコンデンサ８２の電圧低下を抑えるために、予め昇圧コンバータ８１の出力電圧を高く設定し、その後、電源切替えを行う。以下、図８および図９のフローチャートを参照して、図４の電源切替工程（ステップＳ１３５，Ｓ１４５）について説明する。
【００７６】
［電源切替工程］
図８は、第２の実施形態において、圧縮機への電力供給をＡＣ電源からＤＣ電源へ切替える手順を示すフローチャートである。図９は、第２の実施形態において、圧縮機への電力供給をＤＣ電源からＡＣ電源へ切替える手順を示すフローチャートである。図８および図９では、図６および図７のステップＳ２００Ａ，Ｓ２４０ＡがステップＳ２００Ｂ，Ｓ２４０Ｂにそれぞれ変更される。
【００７７】
ステップＳ２００Ｂにおいて、マイクロコンピュータ８９は、昇圧コンバータ８１の出力電圧をより高い電圧値に変更する。ステップＳ２４０Ｂにおいて、マイクロコンピュータ８９は、昇圧コンバータ８１の出力電圧を電源切替工程の直前の値に戻す。
【００７８】
［効果］
第２の実施形態の空気調和機によれば、圧縮機の電源を交流電源から直流電源またはその逆方向への切り替えを行う際に昇圧コンバータ８１の出力電圧がより高い電圧値に変更される。これによって、コンデンサ８２の電圧が低下しても圧縮機の動作が不能とならないようにすることができるので、圧縮機８４を停止することなく電源切替えを行うことができる。
【００７９】
＜第３の実施形態＞
第３の実施形態では、電源切替工程でのコンデンサ８２の電圧低下を抑えるために、室外ファン８６の回転速度を減少させるか、もしくは室外ファン８６を停止し、その後、電源切替えを行う。以下、図１０および図１１のフローチャートを参照して、図４の電源切替工程（ステップＳ１３５，Ｓ１４５）について説明する。
【００８０】
［電源切替工程］
図１０は、第３の実施形態において、圧縮機への電力供給をＡＣ電源からＤＣ電源へ切替える手順を示すフローチャートである。図１１は、第３の実施形態において、圧縮機への電力供給をＤＣ電源からＡＣ電源へ切替える手順を示すフローチャートである。図１０および図１１では、図６および図７のステップＳ２００Ａ，Ｓ２４０ＡがステップＳ２００Ｃ，Ｓ２４０Ｃにそれぞれ変更される。
【００８１】
ステップＳ２００Ｃにおいて、マイクロコンピュータ８９は、室外ファン８６の回転速度を減少させるか、もしくは室外ファン８６を停止する。ステップＳ２４０Ｃにおいて、マイクロコンピュータ８９は、室外ファン８６の回転速度を電源切替工程の直前の値に戻す。
【００８２】
［効果］
第３の実施形態の空気調和機によれば、圧縮機の電源を交流電源から直流電源またはその逆方向への切り替えを行う際に室外ファン８６の回転速度を減少させるか、もしくは室外ファン８６が停止される。これによって、コンデンサ８２の電圧低下を抑えることができるので、圧縮機８４を停止することなく電源切替えを行うことができる。
【００８３】
＜第４の実施形態＞
第４の実施形態では、電源切替工程でのコンデンサ８２の電圧低下を抑えるために、室内ファン６５の回転速度を増加させ、その後、電源切替えを行う。なお、室内ファン６５は常に交流電源から電源供給されるので、室内ファン６５の消費電力はコンデンサ８２の電圧低下と無関係である。
【００８４】
具体的に、暖房運転時に室内ファン６５の回転速度を増加させることによって、室内熱交換器（凝縮器）での熱交換を促進させることができるので、圧縮機８４の出口側の圧力が低下する。この結果、圧縮機８４の負荷（入口と出口との間の差圧）を低減させることができるので、圧縮機８４の消費電力を低減させることができる。
【００８５】
逆に、冷房運転時に室内ファン６５の回転速度を減少させるか、もしくは室内ファン６５を停止することによって、室内熱交換器（蒸発器）での熱交換を抑制することができるので、圧縮機８４の消費電力を低減させることができる。
【００８６】
このように、暖房運転時には室内ファン６５の回転速度を増加させることによって、冷房運転時には室内ファン６５の回転速度を減少もしくは室内ファン６５を停止することによって、圧縮機８４の消費電力を低減させることができる。この結果、電源切替工程でのコンデンサ８２の電圧低下を抑えることができる。以下、図１２および図１３のフローチャートを参照して、図４の電源切替工程（ステップＳ１３５，Ｓ１４５）について説明する。
【００８７】
［電源切替工程］
図１２は、第４の実施形態において、圧縮機への電力供給をＡＣ電源からＤＣ電源へ切替える手順を示すフローチャートである。図１３は、第４の実施形態において、圧縮機への電力供給をＤＣ電源からＡＣ電源へ切替える手順を示すフローチャートである。図１２および図１３では、図６および図７のステップＳ２００ＡがステップＳ２００Ｄ，Ｓ２０２Ｄ，Ｓ２０４Ｄに変更され、ステップＳ２４０ＡがステップＳ２４０Ｄにそれぞれ変更される。以下、図３、図１２および図１３を参照して具体的に説明する。
【００８８】
図１２および図１３に示すように、室外制御部としてのマイクロコンピュータ８９は、暖房運転中に（ステップＳ２００ＤでＹＥＳ）圧縮機８４を動作させたままで切替回路７６を切替える場合には、通信回路９４，６７を介して、室内ファン６５の回転速度を増加させるための指令信号を室内制御部６８に送る。この指令信号に基づいて室内制御部６８は、室内機用電源回路６２および室内ファン６５を制御することによって、室内ファン６５の回転速度を増加させる（ステップＳ２０２Ｄ）。
【００８９】
一方、室外制御部としてのマイクロコンピュータ８９は、冷房運転中に（ステップＳ２００ＤでＮＯ）圧縮機８４を動作させたままで切替回路７６を切替える場合には、通信回路９４，６７を介して、室内ファン６５の回転速度を減少または室内ファン６５を停止させるための指令信号を室内制御部６８に送る。この指令信号に基づいて室内制御部６８は、室内機用電源回路６２および室内ファン６５を制御することによって、室内ファン６５の回転速度を減少させるか又は室内ファン６５を停止する（ステップＳ２０４Ｄ）。
【００９０】
ステップＳ２４０Ｄにおいて、室外制御部としてのマイクロコンピュータ８９は、圧縮機８４を動作させたままで切替回路７６を切替える場合に、通信回路９４，６７を介して室内制御部６８に指令信号を送る。この指令信号に基づいて室内制御部６８は、室内機用電源回路６２および室内ファン６５を制御することによって、室内ファン６５の回転速度を電源切替工程の直前の値に戻す。
【００９１】
［効果］
第４の実施形態の空気調和機によれば、圧縮機の電源を交流電源から直流電源またはその逆方向への切り替えを行う際に室内ファン６５の回転速度を増加させる。これによって、コンデンサ８２の電圧低下を抑えることができるので、圧縮機８４を停止することなく電源切替えを行うことができる。
【００９２】
＜第５の実施形態＞
第５の実施形態では、電源切替工程でのコンデンサ８２の電圧低下を抑えるために、膨張弁８８の開度を増加させてそのまま維持した（膨張弁の動作を停止した）状態で、電源切替えを行う。
【００９３】
膨張弁８８の開度を増加させることによって、圧縮機８４の入口と出口との間の差圧を低減させることができるので、圧縮機８４の消費電力を低減させることができる。これによって、電源切替工程でのコンデンサ８２の電圧低下を抑えることができる。なお、電源切替え中には、膨張弁８８の消費電力を抑えるために、膨張弁８８は動作させないようにする。以下、図１４および図１５のフローチャートを参照して、図４の電源切替工程（ステップＳ１３５，Ｓ１４５）について説明する。
【００９４】
［電源切替工程］
図１４は、第５の実施形態において、圧縮機への電力供給をＡＣ電源からＤＣ電源へ切替える手順を示すフローチャートである。図１５は、第５の実施形態において、圧縮機への電力供給をＤＣ電源からＡＣ電源へ切替える手順を示すフローチャートである。図１４および図１５では、図６および図７のステップＳ２００Ａ，Ｓ２４０ＡがステップＳ２００Ｅ，Ｓ２４０Ｅにそれぞれ変更される。
【００９５】
ステップＳ２００Ｅでは、マイクロコンピュータ８９は、膨張弁８８の開度を増加させ、その状態で膨張弁８８の動作を停止する。ステップＳ２４０Ｅでは、マイクロコンピュータ８９は、膨張弁８８を動作させて、その開度を電源切替工程の直前の値に戻す（ステップＳ２４０Ｅ）。
【００９６】
［効果］
第５の実施形態の空気調和機によれば、圧縮機の電源を交流電源から直流電源またはその逆方向への切り替えを行う際に膨張弁８８の開度を増加させて、その状態で維持する。これによって、コンデンサ８２の電圧低下を抑えることができるので、圧縮機８４を停止することなく電源切替えを行うことができる。
【００９７】
＜第６の実施形態＞
第６の実施形態では、電源切替工程でのコンデンサ８２の電圧低下を抑えるために、マイクロコンピュータ８９、膨張弁８８、および通信回路９４の消費電力を最小限にした状態で、電源切替えを行う。たとえば、マイクロコンピュータ８９は、空気調和機の運転制御に必要な動作のみを行うようにし、膨張弁８８および通信回路９４の動作を停止させる。マイクロコンピュータ８９は通常動作モードと低消費電力モード（クロック周波数を低下させるなどして、通常動作モードよりも消費電力が小さい動作モード）とを有し、電源切替え工程では低消費電力モードで動作するようにしてもよい。
【００９８】
上記のように、ＤＣ電源で動作するマイクロコンピュータ８９、膨張弁８８、および通信回路９４の消費電力を最小限にすることによって、電源切替工程でのコンデンサ８２の電圧低下を抑えることができる。以下、図１６および図１７のフローチャートを参照して、図４の電源切替工程（ステップＳ１３５，Ｓ１４５）について説明する。
【００９９】
［電源切替工程］
図１６は、第６の実施形態において、圧縮機への電力供給をＡＣ電源からＤＣ電源へ切替える手順を示すフローチャートである。図１７は、第６の実施形態において、圧縮機への電力供給をＤＣ電源からＡＣ電源へ切替える手順を示すフローチャートである。図１６および図１７では、図６および図７のステップＳ２００Ａ，Ｓ２４０ＡがステップＳ２００Ｆ，Ｓ２４０Ｆにそれぞれ変更される。
【０１００】
ステップＳ２００Ｆにおいて、マイクロコンピュータ８９は、マイクロコンピュータ８９、膨張弁８８、および通信回路９４の消費電力を最小限にする。ステップＳ２４０Ｆにおいて、マイクロコンピュータ８９は、マイクロコンピュータ８９、膨張弁８８、および通信回路９４の消費電力を電源切替工程の直前の値に戻す。
【０１０１】
［効果］
以上のとおり、第６の実施形態の空気調和機によれば、圧縮機の電源を交流電源から直流電源またはその逆方向への切り替えを行う際にマイクロコンピュータ８９、膨張弁８８、および通信回路９４の消費電力を最小限にする。これによって、コンデンサ８２の電圧低下を抑えることができるので、圧縮機８４を停止することなく電源切替えを行うことができる。
【０１０２】
＜変形例＞
以上、第１〜第６の実施形態は、任意に組み合わせることができる。これによって、電源切替工程におけるコンデンサ８２の電圧低下をさらに抑えることができる。
【０１０３】
＜付記＞
上記の各実施形態によって開示された発明の一部を以下に列挙する。
【０１０４】
（１）  冷媒回路１０と、電源回路２０と、制御部８９とを備えた空気調和機５０が提供される。冷媒回路１０は、室外熱交換器３５、室内熱交換器３６、膨張弁８８、および圧縮機８４を含む。電源回路２０は、交流電源および直流電源の一方からの電力供給によって圧縮機８４を駆動するように電力供給経路を切替える切替回路７６を含む。制御部８９は、電源回路２０、圧縮機８４、および膨張弁８８を制御する。制御部８９は、圧縮機８４を動作させたままで切替回路７６を切替える場合に、一時的に圧縮機８４の周波数を減少させるように圧縮機８４を制御する。
【０１０５】
上記構成によれば、一時的に圧縮機８４の周波数を減少させることによって電源切替え時の消費電力抑えることができるので、圧縮機８４を停止させることなく電源切替えを行うことができる。
【０１０６】
（２）  上記（１）の空気調和機５０における電源回路２０の具体的構成例として、電源回路２０は、整流回路７５と、昇圧コンバータ８１と、第１のインバータ回路８３とを含む。整流回路７５は、交流電源からの交流電圧を整流することによって整流電圧を生成する。切替回路７６は、整流電圧および直流電源からの直流電圧のうち一方のみを出力するように電圧経路を切替える。昇圧コンバータ８１は、切替回路７６から出力された整流電圧または直流電圧のうちの一方を昇圧することによって昇圧電圧を生成する。第１のインバータ回路８３は、昇圧電圧に基づいて圧縮機８４をインバータ駆動する。
【０１０７】
（３）  上記（１）の空気調和機５０における電源回路２０の他の具体的構成例として、電源回路２０は、整流回路７５と、昇圧コンバータ８１と、第１のインバータ回路８３とを含む。切替回路７６は、交流電源からの交流電圧および直流電源からの直流電圧のうちの一方のみを出力するように電圧経路を切替える。整流回路７５は、切替回路７６から出力された交流電圧を整流することによって整流電圧を生成するか、切替回路７６から出力された直流電圧をそのまま出力する。昇圧コンバータ８１と、整流回路７５から出力された整流電圧または直流電圧のうちの一方を昇圧することによって昇圧電圧を生成する。第１のインバータ回路８３は、昇圧電圧に基づいて圧縮機８４をインバータ駆動する。
【０１０８】
（４）  上記（２）または（３）において、制御部８９は、圧縮機８４を動作させたままで切替回路７６を切替える場合に、一時的に昇圧電圧を増加させるように電源回路２０を制御する。
【０１０９】
上記構成によれば、昇圧電圧を増加させておくことによって、圧縮機８４の動作が不能となるまで駆動電圧が低下することを防止することができるので、圧縮機８４を停止させることなく電源切替えを行うことができる。
【０１１０】
（５）  上記（１）〜（４）において、空気調和機５０は、室外熱交換器３５に外気を送風する室外ファン８６をさらに備える。電源回路２０は、切替回路７６によって電力供給経路を切替えることによって、交流電源および直流電源の一方からの電力供給によって室外ファン８６を駆動する。制御部８９は、圧縮機８４を動作させたままで切替回路７６を切替える場合に、一時的に室外ファン８６の回転速度を低下させるか、または室外ファン８６を停止させるように電源回路２０を制御する。
【０１１１】
上記構成によれば、室外ファン８６の消費電力を低下または零にすることによって、圧縮機８４の動作が不能となるまで駆動電圧が低下することを抑制することができるので、圧縮機８４を停止させることなく電源切替えを行うことができる。
【０１１２】
（６）  上記（１）〜（５）において、空気調和機５０は、室内熱交換器３６によって熱交換された室内空気を室内に送風する室内ファン６５と、交流電源からの交流電圧を整流した直流電圧により室内ファン６５を駆動する室内電源回路６２と、室内機６０に設けられ、室内ファン６５および室内電源回路６２を制御する室内制御部６８とをさらに備える。冷媒回路１０は、冷房運転と暖房運転とで冷媒の巡回方向を切替えるための四方弁９０をさらに含む。制御部８９は、室外機７０に設けられて室外制御部として動作する。室外制御部８９は、暖房運転中に圧縮機８４を動作させたままで切替回路７６を切替える場合に、室内制御部６８に第１の指令信号を送り、この第１の指令信号に基づく室内制御部６８による制御によって一時的に室内ファン６５の回転数を増加させる。一方、室外制御部８９は、冷房運転中に圧縮機８４を動作させたままで切替回路７６を切替える場合に、室内制御部６８に第２の指令信号を送り、この第２の指令信号に基づく室内制御部６８による制御によって一時的に室内ファン６５の回転数を減少させるか、または、一時的に室内ファン６５を停止する。
【０１１３】
上記構成によれば、室内熱交換器３６での熱交換を促進させることによって、圧縮機８４の入口と出口の間の差圧を減少させることができる。これによって、圧縮機８４の消費電力が減少するので、圧縮機８４を停止させることなく電源切替えを行うことができる。
【０１１４】
（７）  上記（１）〜（６）において、制御部８９は、圧縮機８４を動作させたままで切替回路７６を切替える場合に、一時的に膨張弁８８の開度を増加させた状態で動作停止するように膨張弁８８を制御する。
【０１１５】
上記構成によれば、膨張弁８８の開度を増加させることによって、圧縮機８４の入口と出口の間の差圧を減少させることができる。これによって、圧縮機８４の消費電力が減少するので、圧縮機８４を停止させることなく電源切替えを行うことができる。
【０１１６】
（８）  上記（１）〜（７）において、制御部８９は、通常動作モードと低消費電力モードとを有する。制御部８９は、圧縮機８４を動作させたままで切替回路７６を切替える場合に、一時的に低消費電力モードで動作する。
【０１１７】
上記構成によれば、圧縮機８４の動作が不能となるまで駆動電圧が低下することを抑制することができるので、圧縮機８４を停止させることなく電源切替えを行うことができる。
【０１１８】
今回開示された実施形態はすべての点で例示であって制限的なものでないと考えられるべきである。この発明の範囲は上記した説明ではなくて請求の範囲によって示され、請求の範囲と均等の意味および範囲内でのすべての変更が含まれることが意図される。
【符号の説明】
【０１１９】
１０  冷媒回路、２１  室外機用電源回路、３０，３１，３２，３３，３４  温度センサ、３５  室外熱交換器、３６  室内熱交換器、４１  蓄電池（直流電源）、５０  空気調和機、５１  コンセントプラグ、６０  室内機、６２  室内機用電源回路、９２，９３  リレー、６５  室内ファン、６８  室内制御部、７０  室外機、７５  全波整流回路、７６  切替回路、８１  昇圧コンバータ、８２  コンデンサ、８３  第１のインバータ回路、８４  圧縮機、８５  第２のインバータ回路、８６  室外ファン、８７  降圧コンバータ、８８  膨張弁、８９  マイクロコンピュータ（制御部）、９０  四方弁。
【図１】
0006692696.tif 000002
【図２】
0006692696.tif 000003
【図３】
0006692696.tif 000004
【図４】
0006692696.tif 000005
【図５】
0006692696.tif 000006
【図６】
0006692696.tif 000007
【図７】
0006692696.tif 000008
【図８】
0006692696.tif 000009
【図９】
0006692696.tif 000010
【図１０】
0006692696.tif 000011
【図１１】
0006692696.tif 000012
【図１２】
0006692696.tif 000013
【図１３】
0006692696.tif 000014
【図１４】
0006692696.tif 000015
【図１５】
0006692696.tif 000016
【図１６】
0006692696.tif 000017
【図１７】
0006692696.tif 000018